(57)【要約】  燃料電池スタックと負荷装置との間に設けられ、自身のオン／オフにより、燃料電池スタックと負荷装置との間を接続／遮断するリレーのオン固着故障の発生の有無を診断する装置であって、アノードガスおよびカソードガスの供給が停止され、かつ、燃料電池スタックの電圧が０より高い状態でリレーをオフにし、リレーのオフ前に負荷装置に溜まった電荷を、リレーのオフ後に、負荷装置の電圧が燃料電池スタックの電圧より低くなるまで放電させる。リレーをオフにする指令が出された後に、電流センサによって電流が検出された場合に、リレーのオン固着故障が発生していると判断する。
2014050346.tif 000002
【特許請求の範囲】
【請求項１】
アノードガスおよびカソードガスを供給して発電を行う燃料電池と、
前記燃料電池と接続される負荷装置と、
前記燃料電池から前記負荷装置に流れる電流を検出する電流検出手段と、
前記燃料電池と前記負荷装置との間に設けられ、自身のオン／オフにより、前記燃料電池と前記負荷装置との間を接続／遮断する電力遮断手段と、
前記アノードガスおよびカソードガスの供給が停止され、かつ、燃料電池電圧が０より高い状態で前記電力遮断手段をオフにする制御手段と、
前記電力遮断手段のオフ前に前記負荷装置に溜まった電荷を、前記電力遮断手段のオフ後に、前記負荷装置の電圧が燃料電池電圧より低くなるまで放電させる放電手段と、
前記電力遮断手段をオフにする指令が出された後に前記電流検出手段によって電流が検出された場合に、前記電力遮断手段がオン状態で固着する故障が発生していると判断する故障判断手段と、
を備える電力遮断手段の故障診断装置。
【請求項２】
請求項１に記載の電力遮断手段の故障診断装置であって、
前記放電手段は、前記電力遮断手段がオン状態で固着する故障が発生していると判断された場合は、前記電力遮断手段の故障が発生していない場合に比べて、前記負荷装置に溜まった電荷を放電させる際の放電電流を小さくする、
電力遮断手段の故障診断装置。
【発明の詳細な説明】
【技術分野】
【０００１】
本発明は、電力遮断手段の故障を診断する装置に関する。
【背景技術】
【０００２】
従来、電池と負荷との間に設けられた電力遮断手段がオン状態で固着する故障を診断する装置として、電力遮断手段をオフにする指令を出し、かつ、負荷の放電処理を行った後に、負荷側の電圧が所定電圧より高ければ、電力遮断手段のオン固着故障が発生していると判定する装置が知られている（ＪＰ２００１−３２７００１Ａ参照）。
【発明の概要】
【０００３】
しかしながら、ＪＰ２００１−３２７００１Ａに記載の装置では、二次電池と負荷との間に設けられた電力遮断手段のオン固着故障を診断することはできるが、以下の理由により、燃料電池と負荷との間に設けられた電力遮断手段のオン固着故障を正確に診断することができないという問題がある。すなわち、特許文献１に記載の方法でオン固着故障診断を行う場合、燃料電池の発電停止制御を行ってから電力遮断手段をオフにする指令を出し、かつ、負荷の放電処理を行った後に、負荷側の電圧が所定電圧より高いか判断することになる。電力遮断手段にオン固着故障が発生していると、発電を停止している燃料電池から負荷に電流が流れることによって燃料電池の電圧が低下するので、検出される負荷側の電圧が所定電圧以下になる場合があり、この場合には、オン固着故障が発生しているにも関わらず、故障が発生していないと誤診断されることになる。
【０００４】
本発明は、燃料電池と負荷装置との間に設けられた電力遮断手段のオン固着故障の有無を診断することを目的とする。
【課題を解決するための手段】
【０００５】
本発明による電力遮断手段の故障診断装置は、燃料電池と負荷装置との間に設けられた電力遮断手段のオン固着故障の有無を診断する装置である。この装置において、アノードガスおよびカソードガスの供給が停止され、かつ、燃料電池電圧が０より高い状態で電力遮断手段をオフにし、電力遮断手段のオフ前に負荷装置に溜まった電荷を、電力遮断手段のオフ後に、負荷装置の電圧が燃料電池電圧より低くなるまで放電させる。そして、電力遮断手段をオフにする指令が出された後に、燃料電池から負荷装置に流れる電流が検出された場合に、電力遮断手段のオン固着故障が発生していると判断する。
【図面の簡単な説明】
【０００６】
【図１】図１は、一実施の形態における電力遮断手段の故障診断装置が適用される回路構成の一例を示す図である。
【図２】図２は、リレーにオン固着故障が発生していない場合において、燃料電池システムの停止時の燃料電池スタックの電圧、負荷装置の電圧、電流センサで検出される電流、及び、リレーのオン／オフ状態をそれぞれ示すタイムチャートである。
【図３】図３は、リレーにオン固着故障が発生している場合において、燃料電池システムの停止時の燃料電池スタックの電圧、負荷装置の電圧、電流センサで検出される電流、及び、リレーのオン／オフ状態をそれぞれ示すタイムチャートである。
【図４】図４は、リレーのオン固着故障診断のフローチャートである。
【図５】図５は、負荷装置の放電処理制御を示すフローチャートである。
【発明を実施するための形態】
【０００７】
燃料電池は、電解質膜をアノード電極（燃料極）とカソード電極（酸化剤極）とによって挟み、アノード電極に水素を含有するアノードガス（燃料ガス）、カソード電極に酸素を含有するカソードガス（酸化剤ガス）を供給することによって発電する。アノード電極及びカソード電極の両電極において進行する電極反応は以下の通りである。
アノード電極  ：    ２Ｈ２ →４Ｈ＋ ＋４ｅ−              …（１）
カソード電極  ：    ４Ｈ＋ ＋４ｅ− ＋Ｏ２ →２Ｈ２Ｏ      …（２）
【０００８】
この（１）、（２）の電極反応によって燃料電池は１ボルト程度の起電力を生じる。
【０００９】
このような燃料電池を自動車両動力源として使用する場合には、要求される電力が大きいため、数百枚の燃料電池を積層した燃料電池スタックとして使用する。そして、燃料電池スタックにアノードガス及びカソードガスを供給する燃料電池システムを構成して、車両駆動用の電力を取り出す。
【００１０】
図１は、一実施の形態における電力遮断手段の故障診断装置が適用される回路構成の一例を示す図である。燃料電池スタック１と、負荷装置２との間には、リレー３ａ、３ｂが設けられている。リレー３ａは燃料電池スタック１の正極側に接続され、リレー３ｂは燃料電池スタック１の負極側に接続されている。負荷装置２は、例えば、燃料電池自動車に搭載される二次電池との昇降圧を行うＤＣＤＣコンバータや、電動モータインバータである。
【００１１】
リレー３ａ、３ｂは、自身のオン／オフにより、燃料電池スタック１と負荷装置２との間を接続／遮断する。リレー３ａ、３ｂのオン／オフは、コントローラ４によって制御される。
【００１２】
ダイオード５は、負荷装置２とリレー３ａとの間に、燃料電池スタック１から負荷装置２の方向にのみ電流が流れるように設けられている。すなわち、ダイオード５のアノードが燃料電池スタック１側に、カソードが負荷装置２側に接続されている。
【００１３】
電流センサ６は、燃料電池スタック１から負荷装置２に流れる電流を検出する。
【００１４】
電圧センサ７は、負荷装置２の両端電圧を検出する。
【００１５】
コントローラ４は、燃料電池スタック１を含む燃料電池システムの制御およびリレー３ａ、３ｂのオン固着故障診断を行う。
【００１６】
まず始めに、燃料電池システムの停止制御について説明する。燃料電池システムの停止要求があると、コントローラ４は、所定の停止シーケンス処理を実施して燃料電池システムを停止させる。停止シーケンス処理は、燃料電池システムの停止要求があった場合に、燃料電池スタック１の出力電圧を所定の制限電圧まで低下させる停止ＶＬＣ（Voltage Limit Control）処理、燃料電池スタック１での発電を停止させる発電停止処理、強電系への電力供給を遮断する強電停止処理、弱電系への電力供給を遮断する弱電停止処理を順番に行って、燃料電池システムを完全に停止させる処理である。
【００１７】
停止ＶＬＣ処理は、カソードガスの供給を停止した後に、アノードガスのみを供給して発電を実施することで燃料電池スタック１内のカソードガスを消費し、燃料電池スタック１の出力電圧を制限電圧まで低下させる処理である。これにより、燃料電池スタック１の出力電圧が高い状態のまま燃料電池システムが停止されたことによって生じる燃料電池の触媒の劣化を防止することができる。
【００１８】
燃料電池システムの停止時には、リレー３ａ、３ｂをオフにして、燃料電池スタック１と負荷装置２との間を遮断するとともに、リレー３ａ、３ｂのオフ後に、負荷装置２に溜まった電荷を放電させて、負荷装置２の電圧を燃料電池スタック１の電圧より低くさせる。負荷装置２に溜まった電荷とは、リレー３ａ、３ｂのオフ前に、例えば、コンデンサに溜まった電荷のことである。負荷装置２の放電処理の詳細については後述する。
【００１９】
図２は、リレー３ａ、３ｂにオン固着故障が発生していない場合において、燃料電池システムの停止時の燃料電池スタック１の電圧、負荷装置２の電圧、電流センサ６で検出される電流、及び、リレー３ａ、３ｂのオン／オフ状態をそれぞれ示すタイムチャートである。
【００２０】
時刻ｔ１では、リレー３ａ、３ｂをオフにするために、負荷装置２の電圧が燃料電池スタック１の電圧より高くなるようにしている。すなわち、負荷装置２の電圧が燃料電池スタック１の電圧より低い状態では、リレー３ａ、３ｂを介して燃料電池スタック１から負荷装置２に電流が流れるため、この状態でリレー３ａ、３ｂをオフにすると、アークが発生し、リレー３ａ、３ｂが溶着する可能性がある。これを防ぐために、リレー３ａ、３ｂをオフする前に、負荷装置２の電圧が燃料電池スタック１の電圧より高くなるように制御する。
【００２１】
時刻ｔ２では、リレー３ａ、３ｂをオフにする。この時、燃料電池スタック１の電圧は、０よりも高い。その後、時刻ｔ３にて、リレー３ａ、３ｂをオフする前に負荷装置２に溜まった電荷を放電する。これにより、負荷装置２の電圧は低下していき、時刻ｔ４以後は、負荷装置２の電圧が燃料電池スタック１の電圧よりも低くなる。負荷装置２の電圧が燃料電池スタック１の電圧より低くなっても、リレー３ａ、３ｂがオフとなっているため、燃料電池スタック１から負荷装置２に電流は流れないので、電流センサ６では電流が検出されない。
【００２２】
図３は、リレー３ａ、３ｂにオン固着故障が発生している場合において、燃料電池システムの停止時の燃料電池スタック１の電圧、負荷装置２の電圧、電流センサ６で検出される電流、及び、リレー３ａ、３ｂのオン／オフ状態をそれぞれ示すタイムチャートである。
【００２３】
時刻ｔ１において、リレー３ａ、３ｂをオフにするために、負荷装置２の電圧が燃料電池スタック１の電圧より高くなるように制御する。続いて、時刻ｔ２では、リレー３ａ、３ｂをオフにする指令を出す。図３に示す制御例では、コントローラ４がリレー３ａ、３ｂをオフにする指令を出したが、リレー３ａ、３ｂがともにオン状態で固着するオン固着故障が発生しているため、オン状態のままとなっている。
【００２４】
時刻ｔ３にて、リレー３ａ、３ｂをオフする前に負荷装置２に溜まった電荷を放電する。これにより、負荷装置２の電圧は低下していき、時刻ｔ４において、負荷装置２の電圧と燃料電池スタック１の電圧とが等しくなる。
【００２５】
負荷装置２の電圧が燃料電池スタック１の電圧と等しくなるまで低下すると、リレー３ａ、３ｂがオンとなっていることから、燃料電池スタック１から負荷装置２へ電流が流れる。すなわち、電流センサ６で少なくとも０より大きい電流値が検出される。
【００２６】
本実施形態では、アノードガスおよびカソードガスの供給が停止され、かつ、燃料電池スタック１の電圧が０より高い状態でリレー３ａ、３ｂをオフにする指令を出し、リレー３ａ、３ｂをオフする。そしてリレー３ａ、３ｂのオフ後に、負荷装置３の電圧が燃料電池スタック１の電圧より低くなるまで負荷装置２に溜まった電荷を放電させる処理を行い、リレー３ａ、３ｂをオフにする指令が出される。その後に電流センサ６によって電流が検出されると、リレー３ａ、３ｂのオン固着故障が発生していると判断する。この時、電流センサ６によって所定値以上の電流が所定時間より長く検出された場合にリレー３ａ、３ｂのオン固着故障が発生していると判断すれば、ノイズの影響を除外して、より精度良くオン固着故障の有無を判断することができる。
【００２７】
なお、燃料電池スタック１の発電を停止させる発電停止処理が行われているため、燃料電池スタック１から負荷装置２に電流が流れることによって、燃料電池スタック１の電圧は低下していき、これに伴い、負荷装置２の電圧も低下していく。
【００２８】
図４は、リレー３ａ、３ｂのオン固着故障診断のフローチャートである。ステップＳ１０から始まる処理は、コントローラ４によって、例えば、１０ｍｓ毎に行われる。
【００２９】
ステップＳ１０では、リレー３ａ、３ｂをオフにする指令を出したか否かを判定する。リレー３ａ、３ｂをオフにする指令を出したと判定するとステップＳ２０に進み、指令を出していないと判定するとステップＳ７０に進む。ステップＳ７０では、時間計測用のカウンタＡのカウント値を０に初期化する。
【００３０】
ステップＳ２０では、負荷装置２に溜まっている電荷を放電する指令を出したか否かを判定する。負荷装置２に溜まっている電荷を放電する指令を出したと判定するとステップＳ３０に進み、指令を出していないと判定するとステップＳ７０に進む。
【００３１】
ステップＳ３０では、電流センサ６で検出される電流値が所定値より大きいか否かを判定する。電流検出値が所定値より大きいと判定するとステップＳ４０に進み、所定値未満であると判定するとステップＳ７０に進む。
【００３２】
ステップＳ４０では、電流センサ６で検出される電流値が所定値より大きいと判定されている時間を測定するために、時間計測用のカウント値をカウンタＡに加算する。
【００３３】
ステップＳ５０では、カウンタＡのカウント値が所定時間ＴＡを超えたか否かを判定する。カウンタＡのカウント値が所定時間ＴＡを超えたと判定するとステップＳ６０に進み、所定時間ＴＡを超えていないと判定すると、処理を抜ける。
ステップＳ６０では、リレー３ａ、３ｂにオン固着故障が発生していると判断する。
【００３４】
負荷装置２の放電処理では、始めに小さい放電量（放電電流量）で放電を開始し、その後リレー３ａ、３ｂのオン固着故障が発生していなければ、放電時間を短く（燃料電池システムの停止時間を短く）するために、放電量を大きくする。
【００３５】
また、リレー３ａ、３ｂのオン固着故障を検出した場合には、リレー３ａ、３ｂのオン固着故障が発生していない場合に比べて、負荷装置２の放電量を小さくする。本実施形態では、リレー３ａ、３ｂのオン固着故障を検出すると、負荷装置２の放電を停止する。リレー３ａ、３ｂのオン固着故障を検出した後も負荷装置２の放電量を変更せずに放電を継続して行うと、燃料電池スタック１の発電は停止してアノードガス、カソードガスが少ない状況で燃料電池スタック１の電流が取り出されることになるため、燃料電池スタック１を劣化させる懸念がある。しかし、リレー３ａ、３ｂのオン固着故障を検出した場合に負荷装置２の放電量を小さくすることにより、アノードガス、カソードガスが少ない状況での燃料電池スタック１からの電流取り出しを制限することができるので、燃料電池スタック１の劣化を抑制することができる。
【００３６】
図５は、負荷装置２の放電処理制御を示すフローチャートである。ステップＳ１００から始まる処理は、コントローラ４によって、例えば、１０ｍｓ毎に行われる。
【００３７】
ステップＳ１００では、リレー３ａ、３ｂをオフにする指令を出したか否かを判定する。リレー３ａ、３ｂをオフにする指令を出したと判定するとステップＳ１１０に進み、指令を出していないと判定するとステップＳ２００に進む。ステップＳ２００では、カウンタＢのカウント値を０に初期化する。
【００３８】
ステップＳ１１０では、負荷装置２の放電処理が終了しているか否かを判定する。負荷装置２の放電処理が終了していると判定するとステップＳ１８０に進み、終了していないと判定するとステップＳ１２０に進む。
【００３９】
ステップＳ１２０では、リレー３ａ、３ｂのオン固着故障が発生していると判断されたか否かを判定する。リレー３ａ、３ｂのオン固着故障の有無は、図４に示すフローチャートの処理によって判断する。リレー３ａ、３ｂのオン固着故障が発生していると判断された場合にはステップＳ１８０に進み、オン固着故障が発生していると判断されていない場合にはステップＳ１３０に進む。
【００４０】
ステップＳ１３０では、カウンタＢのカウント値が所定時間ＴＢを超えたか否かを判定する。カウンタＢは、リレー３ａ、３ｂのオン固着故障診断が行われて、リレー３ａ、３ｂのオン固着故障が発生していないことを確認するためのカウンタである。従って、所定時間ＴＢは、図４のフローチャートのステップＳ５０の判定で用いられる所定時間ＴＡよりも長い時間とする。カウンタＢのカウント値が所定時間ＴＢを超えたと判定するとステップＳ１６０に進み、所定時間ＴＢを超えていないと判定するとステップＳ１４０に進む。
【００４１】
ステップＳ１４０では、放電電流ＩＡの大きさで負荷装置２の放電を行う指令を出す。カウンタＢのカウント値が所定時間ＴＢを超えていないこの段階では、リレー３ａ、３ｂのオン固着診断が完了していないため、比較的小さい放電電流ＩＡで負荷装置２の放電を行うようにする。
【００４２】
ステップＳ１５０では、所定時間ＴＢを経過したか否かを判定するために、時間計測用のカウント値をカウンタＢに加算する。
【００４３】
一方、ステップＳ１６０では、リレー３ａ、３ｂのオン固着故障診断が行われて、リレー３ａ、３ｂのオン固着故障が発生していないことを確認済みのため、放電電流ＩＡよりも大きい放電電流ＩＢの大きさで負荷装置２の放電を行う指令を出す。
【００４４】
ステップＳ１７０では、電圧センサ７で検出される負荷装置２の電圧が所定電圧より低いか否かを判定する。負荷装置２の電圧が所定電圧以上であると判定すると、放電処理を継続して行う。一方、負荷装置２の電圧が所定電圧より低いと判定すると、ステップＳ１８０に進む。
【００４５】
ステップＳ１８０では、負荷装置２の放電処理を終了する。
【００４６】
ステップＳ１９０では、負荷装置２の放電電流を０とする指令を出す。
【００４７】
以上、一実施の形態における電力遮断手段の故障診断装置によれば、燃料電池スタック１と負荷装置２との間に設けられ、自身のオン／オフにより、燃料電池スタック１と負荷装置２との間を接続／遮断するリレー３ａ、３ｂのオン固着故障の有無を診断する。この電力遮断手段の故障診断装置では、アノードガスおよびカソードガスの供給が停止され、かつ、燃料電池スタック１の電圧が０より高い状態でリレー３ａ、３ｂをオフにし、リレー３ａ、３ｂのオフ前に負荷装置２に溜まった電荷を、リレー３ａ、３ｂのオフ後に、負荷装置２の電圧が燃料電池スタック１の電圧より低くなるまで放電させる。そして、リレー３ａ、３ｂをオフにする指令が出された後に、燃料電池スタック１から負荷装置２に流れる電流が検出された場合に、リレー３ａ、３ｂがオン状態で固着する故障が発生していると判断する。二次電池を用いたシステムでは、リレーのオン固着故障が生じていれば、リレーをオフにする指令を出し、かつ、負荷装置の放電処理を行った後に、大容量の二次電池から負荷装置に電流が流れることによって、負荷側の電圧が所定電圧より高くなるため、負荷側の電圧が所定電圧より高ければ、リレーのオン固着故障が発生していると判定することができる。しかしながら、燃料電池を用いたシステムでは、発電を停止している燃料電池スタック１から負荷装置に電流が流れることによって燃料電池スタック１の電圧が低下するので、負荷装置２の電圧が所定電圧以下になる場合があり、負荷装置２の電圧に基づいて故障診断を行う方法では、オン固着故障が発生しているにも関わらず、故障が発生していないと誤診断されることになる。一方、リレーのオン固着故障が発生している場合には、オン固着故障が発生していない場合には流れない電流、すなわち、燃料電池スタック１から負荷装置２に電流が流れるため、この電流を検出することによって、リレー３ａ、３ｂのオン固着故障の発生の有無を確実に診断することができる。
【００４８】
また、一実施の形態における電力遮断手段の故障診断装置では、リレー３ａ、３ｂのオン固着故障が発生していると判断された場合は、オン固着故障が発生していない場合に比べて、負荷装置２に溜まった電荷を放電させる際の放電電流を小さくするので、アノードガス、カソードガスが少ない状況での燃料電池スタック１からの電流取り出しを制限することができ、燃料電池スタック１の劣化を抑制することができる。
【００４９】
以上、本発明の実施形態について説明したが、上記実施形態は本発明の適用例の一部を示したに過ぎず、本発明の技術的範囲を上記実施形態の具体的構成に限定する趣旨ではない。
【００５０】
本願は、２０１２年９月２８日に日本国特許庁に出願された特願２０１２−２１６２５５に基づく優先権を主張し、この出願の全ての内容は参照により本明細書に組み込まれる。
【図１】
2014050346.tif 000003
【図２】
2014050346.tif 000004
【図３】
2014050346.tif 000005
【図４】
2014050346.tif 000006
【図５】
2014050346.tif 000007
【手続補正書】
【提出日】平成26年6月24日(2014.6.24)
【手続補正１】
【補正対象書類名】特許請求の範囲
【補正対象項目名】全文
【補正方法】変更
【補正の内容】
【特許請求の範囲】
【請求項１】
アノードガスおよびカソードガスを供給して発電を行う燃料電池と、
前記燃料電池と接続される負荷装置と、
前記燃料電池から前記負荷装置に流れる電流を検出する電流検出手段と、
前記燃料電池と前記負荷装置との間に設けられ、自身のオン／オフにより、前記燃料電池と前記負荷装置との間を接続／遮断する電力遮断手段と、
前記アノードガスおよびカソードガスの供給が停止され、かつ、燃料電池電圧が０より高い状態で前記電力遮断手段をオフにする制御手段と、
前記電力遮断手段のオフ前に前記負荷装置に溜まった電荷を、前記電力遮断手段のオフ後に、前記負荷装置の電圧が燃料電池電圧より低くなるまで放電させる放電手段と、
前記電力遮断手段をオフにする指令が出された後に前記電流検出手段によって電流が検出された場合に、前記電力遮断手段がオン状態で固着する故障が発生していると判断する故障判断手段と、
を備え、
前記放電手段は、前記電力遮断手段がオン状態で固着する故障が発生していると判断された場合は、前記電力遮断手段の故障が発生していない場合に比べて、前記負荷装置に溜まった電荷を放電させる際の放電電流を小さくする、
電力遮断手段の故障診断装置。
【国際調査報告】
2014050346.tif 000008
2014050346.tif 000009